(57)【要約】【課題】  本発明の目的は、ユーザが、試験を行うためのハード、ソフトのリソースの複雑な組合せについての深い認識が無くとも、容易に操作できる通信試験装置の提供することが目的である。【解決手段】予め各試験項目とリソースの識別情報を試験項目記憶手段に記憶しておき、管理手段によって管理された実装ユニット等のリソースをもとに、試験項目決定手段が試験項目記憶手段を参照して、当該実装されているユニットに対応する試験項目を実施可能試験項目と決定し、ユーザインタフェース手段が、該実施可能試験項目を選択可能に識別して表示し、該実施可能試験項目が該操作部によって選択された場合は、測定制御手段が該選択された実施可能試験項目に沿って試験を実行する。【選択図】      図１
2005341424.tif 000002
【特許請求の範囲】
【請求項１】
被試験通信機器と通信するために、通信方式に応じて送信及び受信する手段を含む複数のユニットを実装可能に、かつ実装されたユニットを該ユニットが有する識別情報に基づいて識別可能に管理するユニット管理手段（２０）と、
予め、被試験通信機器を試験するための少なくとも１つの種類の試験項目と、試験項目に沿った試験を実行できる前記実装可能なユニットの識別情報とを対応付けて記憶する試験項目記憶手段（５０）と、
前記ユニット管理手段に実装されているユニットの識別情報を得て、前記試験項目記憶手段に記憶されている前記実装可能なユニットの前記識別情報を参照して、当該実装されているユニットに対応する試験項目を実施可能試験項目と決定する試験項目決定手段（４０）と、
表示部（１２）及び操作部（１１）を有し、前記表示部に該実施可能試験項目を選択可能に識別して表示するとともに、該実施可能試験項目が該操作部によって選択された場合は、該選択された実施可能試験項目を出力するユーザインタフェース手段（１０）と
該ユーザインタフェース手段が出力する該選択された実施可能試験項目から識別情報に該対応するユニットを該選択された実施可能試験項目に沿って制御する測定制御手段（３０）とを備え、前記被試験通信機器を前記選択された実施可能試験項目について試験することを特徴とする通信試験装置。
【請求項２】
前記測定制御手段は、前記試験項目と該試験項目に沿って試験を実行できる前記ユニットの識別情報に対応づけて、該ユニットに対して設定する通信の周波数又はレベルのうちの少なくとも１つを含む通信条件を記憶する通信条件記憶手段（３３ｂ２）を備え、
さらに、前記ユーザインタフェース手段で選択された実施可能試験項目を受けて、前記通信条件記憶手段から、該選択された実施可能試験項目に該当する通信条件を抽出し、その抽出した通信条件を基に該対応するユニットを制御することを特徴とする請求項１に記載の通信試験装置。
【請求項３】
前記ユニット管理手段は、前記実装可能なユニットとして、被試験通信機器に対応する通信信号で交信するための、通信ＲＦ信号ユニット（２１ａ、２１ｂ）と、該通信ＲＦ信号ユニットを介して送信する信号の生成又は受信した信号の処理を通信方式にしたがって行うデータ処理ユニット（２１ｃ、２１ｄ）とがあり、かつ前記２種類の機能のユニットのうち少なくとも１つの種類の機能のユニットが複数実装可能にされ、実装される通信ＲＦ信号ユニットとデータ処理ユニットとの間には、それらの接続の組み合わせを切り替える経路切替手段（２２）を備え、
前記測定制御手段によって、各試験項目と該試験項目に沿って試験を実行できるユニットの識別情報に対応づけて判定された、前記２種類のユニットの組み合わせの情報を記憶する経路記憶手段（３２）を備え、
さらに、前記経路記憶手段を参照して、前記ユーザインタフェース手段で選択された実施可能試験項目から前記２種類のユニットの組み合わせを構成するよう、前記経路切替手段を制御することを特徴とする請求項１又は２に記載の通信試験装置。
【請求項４】
前記測定制御手段は、さらに前記試験項目に対応して試験手順を規定する複数のシナリオを試験項目毎に記憶するシナリオ記憶手段（３３ｂ１）と、該シナリオ記憶手段から前記ユーザインタフェース手段で選択された実施可能試験項目を受けて、前記シナリオ記憶手段を参照して該選択された実施可能項目に対応するシナリオを選択し、該選択されたシナリオに従って該対応するユニットを制御することを特徴とする前記請求項１、２又は３に記載の通信試験装置。
【請求項５】
前記測定制御手段は、前記試験項目に対応して前記ユニットを制御するための複数の情報を実装し、実装された情報を識別可能に管理する情報管理手段（３３）と、前記ユーザインタフェース手段で選択された実施可能試験項目を受けて、前記情報管理手段を参照して、該実施可能試験項目に対応する情報を選択して、選択された情報に従って前記ユニットを制御する試験制御手段（３１）とを備えたことを特徴とする請求項１に記載の通信試験装置。
【請求項６】
被試験通信機器と通信方式に応じて交信するための手段を含む複数のユニットを実装可能に、かつ実装されたユニットを識別可能に管理するユニット管理手段（２０）と、
前記被試験通信機器を試験するための試験項目に応じた複数のシナリオを含む制御情報を実装可能に、かつ実装された制御情報を識別可能に管理する情報管理手段（３３）と、
予め、複数種類の試験項目に沿った試験を実行できる前記各ユニット及び制御情報の各識別情報を対応付けて記憶する試験項目記憶手段（５０）と、
指示を受けて、その時点で、前記ユニット管理手段及び前記情報管理手段に実装されている該ユニット及び制御情報の識別情報を得て、前記試験項目記憶手段を参照して当該実装されているユニット及び制御情報に対応する当該試験項目を実施可能試験項目と決定する試験項目決定手段（４０）と、
表示部（１２）及び操作部（１１）を有し、該表示部に前記試験項目を含む一覧を表示し、かつ該実施可能試験項目を選択可能に識別して表示するとともに、該実施可能試験項目が該操作部によって選択された場合は、選択された実施可能試験項目を出力するユーザインタフェース手段（２０）と
該ユーザインタフェース手段が出力する実施可能試験項目に該当するユニットを、該選択された実施可能試験項目に沿った制御情報を前記情報管理手段から読み出して実行することにより制御する試験制御手段（３１）とを備えたことを特徴とする通信試験装置。
【請求項７】
前記ユーザインタフェース手段は、前記試験項目決定手段が実施可能試験項目と決定しなかった試験項目について、前記試験項目記憶手段を参照して実施可能にするための用意すべきユニット又は制御情報の内少なくとも１つの識別情報を選択して、前記一覧に含めて表示することを特徴とする請求項６に記載の通信試験装置。
【請求項８】
前記ユニット管理手段は、さらに、前記複数のユニットを組み合わせるための経路切替手段（２２）を有し、
前記情報管理手段は、さらに、前記複数のユニットの組合せ情報が実装可能にされ、実装された組合せ情報を前記制御情報として識別可能に管理し、
前記試験制御手段は、さらに、前記複数のユニットを前記情報管理手段から読み出された前記制御情報に含まれる前記組合せ情報に従って前記経路切替手段を制御することを特徴とする請求項６又は７に記載の通信試験装置。
【請求項９】
前記ユーザインタフェース手段は、さらに、前記操作手段により複数の実施可能試験項目を選択可能であって、１つの実施可能試験項目が選択されたとき、該１つの実施可能試験項目を前記試験項目決定手段に通知し、該試験項目決定手段は、前記１つの実施可能試験項目と同時に試験可能な実施可能試験項目を決定し、さらに前記ユーザインタフェース手段は、前記同時に試験可能な実施試験項目を選択可能に表示することを特徴とする請求項６〜８のいずれかに記載の通信試験装置。
【請求項１０】
前記試験項目記憶手段は、通信方式を大分類として、該通信方式の下部に被試験通信機器の試験仕様であることを示すサービス項目を中分類とし、その中分類の下部に試験方法を含む前記試験項目を小分類して、対応付けて記憶され、
前記ユーザインタフェース手段は、前記試験項目と共に、対応する前記サービス項目、対応する前記通信方式を一覧として前記表示部に表示するとともに、前記試験項目決定手段が決定した実施可能試験項目を識別可能に表示することを特徴とする請求項６〜９のいずれかに記載の通信試験装置。
【請求項１１】
前記ユーザインタフェース手段は、さらに、前記操作手段により、複数の実施可能試験項目を選択された場合に、選択された順番を選択された試験項目と対応して識別可能に表示するとともに、前記通信制御手段に該順番を通知して、該順番に試験を実行させることを特徴とする請求項６〜１０のいずれかに記載の通信試験装置。
【請求項１２】
前記試験項目記憶手段は、前記試験項目の試験を実施するための外部機器がある場合は、該試験項目に対応させて該外部機器との接続図の識別情報を記憶しておき、
前記ユーザインタフェース手段は、前記試験項目を含む一覧に該接続図の識別情報を選択可能に前記表示部に表示し、前記操作部によって該接続図の識別情報を選択されたときは、該選択された識別情報に該当する接続図を該表示部に表示することを特徴とする請求項６〜１１のいずれかに記載の通信試験装置。
【請求項１３】
予め、各種の被試験通信機器の試験項目に対応させて、実装可能な、複数のハードウェアの機能要素及びソフトウェアの機能要素を試験項目記憶手段（５０）に記憶しておく段階と、
実装された、ハードウェアの機能要素及びソフトウェアの機能要素を識別して管理する要素管理段階と、
指示を受けて、その時点で該要素管理段階で管理されている各機能要素の識別情報を基に、前記試験項目記憶手段を参照して、実施可能な試験項目を決定する試験項目決定段階と、
該実施可能な試験項目を表示部（１２）に選択可能に表示し、操作部（１１）によって所望の試験項目が選択された場合は、該所望の試験項目を出力する選択段階と、
前記試験項目決定段階で試験項目を決定するときに参照された前記機能要素の識別情報と、該選択段階で出力された前記試験項目とから決定される識別情報に該当するソフトウェアの機能要素を基に、該当するハードウェアの機能要素を制御する試験制御段階とを備えたことを特徴とする通信試験方法。
【発明の詳細な説明】
【技術分野】
【０００１】
本発明は、各種通信方式沿った通信機器の試験、例えば、Ｗ−ＣＤＭＡ、ｃｄｍａ２０００、ＧＳＭ等の任意の通信方式を採用した無線端末通信機器（以下、「被試験通信機器」と言う。）の試験を行うための通信試験装置に係る。特に、本発明は、擬似的な基地局として、被試験通信機器に対して、その各種の被試験通信機器が採用する通信方式で、かつ各種の試験項目に従って、実際に擬似的に交信することによって試験を行えるようにされた試験装置及び方法であって、ユーザが特定の被試験通信機器を試験する際に、所望の通信方式、試験項目、及びその試験項目に応じて必要となるシナリオ、周波数等のパラメータ等の各種条件を、容易に設定できるようにした通信試験装置及び方法に関する。
【背景技術】
【０００２】
今日の通信機器、例えば、一般的に利用されている携帯電話等の無線端末通信機器における通信方式は、Ｗ−ＣＤＭＡ、ｃｄｍａ２０００，ＧＳＭ等の各種があり、無線端末通信機器によっては、例えば、Ｗ−ＣＤＭＡ及びＧＳＭの複数の通信方式を切り替えて使用可能にされている無線端末通信機器がある。
【０００３】
また、上記の各通信方式は、所定の規則で規定された手順で動作することが決められているが、同じ通信方式であっても、個々の通信業者（いわゆるキャリア）の通信網によって提供されているサービス、無線端末通信機器における機能等により、試験の内容が変わってくる。
【０００４】
試験内容における機能的な事項は、試験に必要なソフトウェアやハードウェアを装着・選択することで達成できることが多いが、さらに周波数、レベル等の通信条件（パラメータ）を設定して動作させる必要がある。
【０００５】
上記のような各無線端末通信機器を試験するにあたり、無線端末通信機器メーカにとっては、各通信方式、各試験内容をできるだけ一つの試験装置で共通に試験できることが好ましいし、通信試験装置をメーカに供給する通信機器試験装置メーカにとっても、その期待に沿うことが好ましい（例えば、特許文献１）。
【０００６】
特許文献１に記載の発明は、例えば、変調手段、復調手段、解析手段等の信号やデータを生成、処理する処理実行部に対して、通信方式に応じたソフトウェア（プログラム）を供給可能にして、そのソフトウェアによって処理実行部を複数の通信方式に対応して動作させるものであった。
【０００７】
しかし、より多くの通信方式及び試験内容に対応して試験できる通信試験装置を提供するとなると、ソフトウェアの種類も多くなり、かつ電波を送受する高周波部、その高周波部からの信号を処理、或いは高周波部への信号を生成する処理部等のハードウェアもユニット化して、切り替えて使用することになる。そのため、ユーザ（通信試験実施者）は、試験内容に応じて各試験を行うための可変な構成要素（上記の各種ハードウェア、各種ソフトウェア：以下、これらを纏めて「リソース」と言うことがある。）を組合せる必要があるが、その組合せ及び操作が複雑になり熟練者でないと困難になるので、適切な操作ガイドが望まれている。
【０００８】
操作を案内する方法として、例えば、通信試験分野のものではないが、特許文献２に記載の技術が公開されている。特許文献２は、複数のソフトウェアモジュールによりそれぞれ異なる動作を実行する処理システムの操作手順を案内するもので、複数のソフトウェアモジュールを取得して、実行すべき順をアイコン等を使用して、表示することで操作を案内するものと考えられる。
【０００９】
【特許文献１】特許第３０１７９５５号公報（請求項１、段落〔００１５〕、〔００５５〕、〔００７２〕―〔００８２〕、図１、図３）
【特許文献２】特開２０００−１８１５９４号公報（請求項１，段落〔００２０〕−〔００２６〕、図１〜図５）
【発明の開示】
【発明が解決しようとする課題】
【００１０】
上記、特許文献２の技術は、例えば、課金と言う作業は必ず行えるものであって、その課金の仕方、作業手順を案内しているのであって、通信試験装置を前にしてユーザがとまどう問題、例えば、リソースそのものがどのようになっているか？、それによって、どのような試験が可能か？、所望している試験は可能か？所望する試験が現リソースでできない場合、不足リソースは何か？どのように通信条件を設定すべきか？等々に解決を与える内容とはなっていない。
【００１１】
本発明は、上記問題点を解決するものであって、ユーザは、通信試験を行うときは、被試験通信機器の概要とともに、それを試験しようとする試験項目（試験内容或いは試験仕様）は知っていることが多いので、それに着眼して、ユーザが主として、その試験項目を頼りに、リソースの複雑な組合せについての深い認識が無くとも、容易に操作できる通信試験装置の提供することが目的である。
【００１２】
また、本発明は、ユーザが所望の試験項目を選択できたら、通信条件（パラメータ）等の設定手順を自動で行って、試験動作を可能とすることによって、ユーザが先ず試験できるようにすることも目的としている。
【課題を解決するための手段】
【００１３】
ここで、本発明の主な用語を定義する。
サービスとは、大きくは通信方式で分類され、その通信方式を使用して所定仕様の通信網で提供される個々の通信形態（方法又は内容）であり、試験項目とは、その通信方法又は通信内容を使用する被試験通信機器を試験する試験方法又は内容であり、広義には、通信方式及びサービスの試験内容方法も含まれる。狭義の試験項目は、サービスにおける被試験通信機器を試験する内容（方法）をさらに具体的に通信機能の試験まで分類した項目であって、例えばＡ社のサービスにおけるＴＶ電話の折り返し試験、又はＡ社のサービスにおけるＴＶ電話の対向試験、Ｂ社のサービスにおける音声折り返し試験等である。
【００１４】
本発明の目的を達成するとともに、通信測定装置に多様性をもたせるため、ハードウェアリソースであるユニット、及びそれらのハードウェアリソースを制御するシナリオ等のソフトウェアリソースを各種実装可能な構成とし、測定を始める前に、その時点の実際に実装されているリソースを確認し、その確認結果からどのような試験項目が試験可能かを判断して、実施可能な試験項目をユーザが確認し、所望の試験項目が選択できるよう表示する構成とした。さらに所望の試験項目が選択された場合は、その所定の通信条件を設定して試験を開始できる構成とした。
【００１５】
具体的には、請求項１に記載の発明は、被試験通信機器と通信するために、通信方式に応じて送信及び受信する手段を含む複数のユニットを実装可能に、かつ実装されたユニットを該ユニットが有する識別情報に基づいて識別可能に管理するユニット管理手段と、
予め、被試験通信機器を試験するための少なくとも１つの種類の試験項目と、各試験項目に沿った試験を実行できる前記実装可能なユニットの識別情報とを対応付けて記憶する試験項目記憶手段と、
前記ユニット管理手段に実装されているユニットの識別情報を得て、前記試験項目記憶手段に記憶されている前記実装可能なユニットの前記識別情報を参照して、当該実装されているユニットに対応する試験項目を実施可能試験項目と決定する試験項目決定手段と、
表示部及び操作部を有し、前記表示部に該実施可能試験項目を選択可能に識別して表示するとともに、該実施可能試験項目が該操作部によって選択された場合は、該選択された実施可能試験項目を出力するユーザインタフェース手段と、
該ユーザインタフェース手段が出力する該選択された実施可能試験項目から識別情報に該対応するユニットを該選択された実施可能試験項目に沿って制御する測定制御手段とを備え、前記被試験通信機器を前記選択された実施可能試験項目について試験する構成とした。
【００１６】
請求項２に記載の発明は、請求項１に記載の発明において、前記測定制御手段は、前記試験項目と該試験項目に沿って試験を実行できる前記ユニットの識別情報に対応づけて、該ユニットに対して設定する通信の周波数又はレベルのうちの少なくとも１つを含む通信条件を記憶する通信条件記憶手段を備え、
さらに、前記ユーザインタフェース手段で選択された実施可能試験項目を受けて、前記通信条件記憶手段から、該選択された実施可能試験項目に該当する通信条件を抽出し、その抽出した通信条件を基に該対応するユニットを制御する構成とした。
【００１７】
請求項３に記載の発明は、請求項１又は２に記載の発明において、前記ユニット管理手段は、前記実装可能なユニットとして、被試験通信機器に対応する通信信号で交信するための、通信ＲＦ信号ユニットと、該通信ＲＦ信号ユニットを介して送信する信号の生成又は受信した信号の処理を通信方式にしたがって行うデータ処理ユニットとの２種類の機能のユニットがあり、そのうち少なくとも１つの種類の機能のユニットが複数実装可能にされ、実装される通信ＲＦ信号ユニットとデータ処理ユニットとの間には、それらの接続の組み合わせを切り替える経路切替手段を備え、
前記測定制御手段によって、各試験項目と該試験項目に沿って試験を実行できるユニットの識別情報に対応づけて判定された、前記２種類のユニットの組み合わせの情報を記憶する経路記憶手段を備え、
さらに、前記経路記憶手段を参照して、前記ユーザインタフェース手段で選択された実施可能試験項目から前記２種類のユニットの組み合わせを構成するよう、前記経路切替手段を制御する構成とした。
【００１８】
請求項４に記載の発明は、請求項１、２又は３に記載の発明において、前記測定制御手段は、さらに前記試験項目に対応して試験手順を規定する複数のシナリオを試験項目毎に記憶するシナリオ記憶手段と、該シナリオ記憶手段から前記ユーザインタフェース手段で選択された実施可能試験項目を受けて、前記シナリオ記憶手段を参照して該選択された実施可能項目に対応するシナリオを選択し、該選択されたシナリオに従って該対応するユニットを制御する構成とした。
【００１９】
請求項５に記載の発明は、請求項１に記載の発明において、前記測定制御手段は、前記試験項目に対応して前記ユニットを制御するための複数の情報を実装し、実装された情報を識別可能に管理する情報管理手段と、前記ユーザインタフェース手段で選択された実施可能試験項目を受けて、前記情報管理手段を参照して、該実施可能試験項目に対応する情報を選択して、選択された情報に従って前記ユニットを制御する試験制御手段とを備えた。
【００２０】
請求項６に記載の発明は、被試験通信機器と通信方式に応じて交信するための手段を含む複数のユニットを実装可能に、かつ実装されたユニットを識別可能に管理するユニット管理手段と、
前記被試験通信機器を試験するための試験項目に応じた複数のシナリオを含む制御情報を実装可能に、かつ実装された制御情報を識別可能に管理する情報管理手段（３３）と、
予め、複数種類の試験項目に沿った試験を実行できる前記各ユニット及び制御情報の各識別情報を対応付けて記憶する試験項目記憶手段と、
指示を受けて、その時点で、前記ユニット管理手段及び前記情報管理手段に実装されている該ユニット及び制御情報の識別情報を得て、前記試験項目記憶手段を参照して当該実装されているユニット及び制御情報に対応する当該試験項目を実施可能試験項目と決定する試験項目決定手段と、
表示部及び操作部を有し、該表示部に前記試験項目を含む一覧を表示し、かつ該実施可能試験項目を選択可能に識別して表示するとともに、該実施可能試験項目が該操作部によって選択された場合は、選択された実施可能試験項目を出力するユーザインタフェース手段と
該ユーザインタフェース手段が出力する実施可能試験項目に該当するユニットを、該選択された実施可能試験項目に沿った制御情報を前記情報管理手段から読み出して実行することにより制御する試験制御手段とを備えた。
【００２１】
請求項７に記載の発明は、請求項６に記載の発明において、前記ユーザインタフェース手段は、前記試験項目決定手段が実施可能試験項目と決定しなかった試験項目について、前記試験項目記憶手段を参照して実施可能にするための用意すべきユニット又は制御情報の内少なくとも１つの識別情報を選択して、前記一覧に含めて表示する構成とした。
【００２２】
請求項８に記載の発明は、請求項６又は７に記載の発明において、前記ユニット管理手段は、さらに、前記複数のユニットを組み合わせるための経路切替手段を有し、
前記情報管理手段は、さらに、前記複数のユニットの組合せ情報が実装可能にされ、実装された組合せ情報を前記制御情報として識別可能に管理し、
前記試験制御手段は、さらに、前記複数のユニットを前記情報管理手段から読み出された前記制御情報に含まれる前記組合せ情報に従って前記経路切替手段を制御する構成とした。
【００２３】
請求項９に記載の発明は、請求項６〜８のいずれかに記載の発明において、前記ユーザインタフェース手段は、さらに、前記操作手段により複数の実施可能試験項目を選択可能であって、１つの実施可能試験項目が選択されたとき、該１つの実施可能試験項目を前記試験項目決定手段に通知し、該試験項目決定手段は、前記１つの実施可能試験項目と同時に試験可能な他の実施可能試験項目を決定し、さらに前記ユーザインタフェース手段は、前記他の実施試験項目を選択可能に表示する構成とした。
【００２４】
請求項１０に記載の発明は、請求項６〜９のいずれかに記載の発明において、前記試験項目記憶手段は、通信方式を大分類として、該通信方式の下部に被試験通信機器の試験仕様であることを示すサービス項目を中分類とし、その中分類の下部に試験方法を含む前記試験項目を小分類して、対応付けて記憶され、
前記ユーザインタフェース手段は、前記試験項目と共に、対応する前記サービス項目、対応する前記通信方式を一覧として前記表示部に表示するとともに、前記試験項目決定手段が決定した実施可能試験項目を識別可能に表示する構成とした。
【００２５】
請求項１１に記載の発明は、請求項６〜１０のいずれかに記載の発明において、前記ユーザインタフェース手段は、さらに、前記操作手段により、複数の実施可能試験項目を選択された場合に、選択された順番を選択された試験項目と対応して識別可能に表示するとともに、前記通信制御手段に該順番を通知して、該順番に試験を実行させる構成とした。
【００２６】
請求項１２に記載の発明は、請求項６〜１０のいずれかに記載の発明において、前記試験項目記憶手段は、前記試験項目の試験を実施するための外部機器がある場合は、該試験項目に対応させて該外部機器との接続図の識別情報を記憶しておき、
前記ユーザインタフェース手段は、前記試験項目を含む一覧に該接続図の識別情報を選択可能に前記表示部に表示し、前記操作部によって該接続図の識別情報を選択されたときは、該選択された識別情報に該当する接続図を該表示部に表示する構成とした。
【００２７】
請求項１３に記載の発明は、予め、各種の被試験通信機器の試験項目に対応させて、実装可能な、複数のハードウェアの機能要素及びソフトウェアの機能要素を試験項目記憶手段（５０）に記憶しておく段階と、
実装された、ハードウェアの機能要素及びソフトウェアの機能要素を識別して管理する要素管理段階と、
指示を受けて、その時点で該要素管理段階で管理されている各機能要素の識別情報を基に、前記試験項目記憶手段を参照して、実施可能な試験項目を決定する試験項目決定段階と、
該実施可能な試験項目を表示部に選択可能に表示し、操作部によって所望の試験項目が選択された場合は、該所望の試験項目を出力する選択段階と、
前記試験項目決定段階で試験項目を決定するときに参照された前記機能要素の識別情報と、該選択段階で出力された前記試験項目とから決定される識別情報に該当するソフトウェアの機能要素を基に、該当するハードウェアの機能要素を制御する試験制御段階とを備えた。
【発明の効果】
【００２８】
請求項１〜５に記載の発明は、装置に実装されているハードウェアリソースであるユニットを基に、試験できる実施可能試験項目を、表示し、ユーザによって選択された実施可能試験項目だけ自動で実行するので、ユーザは、表示された中に、所望の試験項目があることを確認し、確認の設定をするだけで、容易に試験を開始できる。
【００２９】
請求項２、４によれば、通信条件やシナリオ（通信手順を示すソフトウェア）も試験項目に応じて自動設定されるので、ユーザにとっては、すぐに動作に入れる。
【００３０】
請求項３によれば、複数種類のユニットの組合せによって機能を実現する場合でも、測定項目にあったユニットが選定され、かつ自動で組み合わせるので、よりユーザの操作を支援できる。
【００３１】
請求項６又は１３のそれぞれに記載の発明は、装置に実装されているハードウェアリソースとソフトウェアリソースを確認して、試験できる実施可能試験項目を、識別可能に表示（一覧表示）するとともに、その表示の中からユーザによって選択された実施可能試験項目だけ自動で実行するので、ユーザは、リソースの心配することなく、所望の試験項目を選定することによって、容易に試験動作に入れる。
【００３２】
請求項７に記載の発明は、実施不可能な試験項目についての不足リソース（ユニット、通信条件、シナリオ等）を表示する構成なので、もし所望の試験項目の実施が不可能であった場合に、ユーザが何を準備すれば試験が可能か認識できるので、対策しやすい。
【００３３】
請求項８に記載の発明によれば、複数種類のユニットがあっても自動設定できる構成なので、ユーザがユニット組合せを意識することなく、試験できる。
【００３４】
請求項９に記載の発明は、複数の試験項目について同時に試験したい場合であっても、１つの実施可能試験項目を選択すると、それにともない変化した実施可能な試験項目が一覧できるので、リソースの組合せを考えることなく同時試験が可能である。
【００３５】
請求項１０に記載の発明は、通信方式、サービス内容、目的とする試験項目を分類表示する構成なので、ユーザにとって、どの位置づけの試験項目を実施しているのか理解しやすい。
【００３６】
請求項１１に記載の発明によれば、ユーザが所望の試験項目が複数あれば、表示された試験項目の一覧を見て、所望の順に指定すれば、自動で測定できる。
【００３７】
請求項１２に記載の発明によれば、試験に外部機器、例えば、本通信試験装置が基地局となって相手方と通信しながら試験する場合のその相手の機器を接続するための接続図を表示するので、試験環境の設定が容易である。
【発明を実施するための最良の形態】
【００３８】
本発明の実施形態を図１〜図７を用いて説明する。図１は、本発明の実施形態の構成を示す機能ブロック図である。図２は、図１の構成における測定制御手段３０の変形例を含む機能ブロック図である。図３は、被試験通信機器と通信行うインタフェース等のユニットを含むハードウェアリソース、及びそのユニット等を制御するためのソフトウェアリソースを試験項目毎に対応してリストアップしたデータベースを説明する図である。図４及び図５は、試験項目選択画面の例を示す図である。図６は、図１の実施形態における動作のフローを説明するための図である。図７は通信条件セットアップ画面、図８は、外部機器との接続表示画面の例を示す図である。
【００３９】
図１を基に、先ずリソースの構成から説明する。図１において、ハードウェアリソースとしては、この例では、通信ＲＦインタフェース信号ユニットＡ２１ａ及びユニットＢ２１ｂ（以下、代表して符号付すことなく「ＲＦユニット」と言うことある。）と、データ処理ユニットＸ２１ｃ及びユニットＹ２１ｄ（以下、代表して符号付すことなく「処理ユニット」と言うことある。）とがユニット格納部２１に脱着可能に格納されている。ユニット格納部２１に格納されるのは、この例に限らずより多い又は少ないユニットが脱着可能にされている構成であってもよい。
【００４０】
ＲＦユニットは、処理ユニットから変調用信号（ベースバンド領域或いは中間周波数帯の信号）を受けて所定の搬送波周波数及びレベルに変換して被試験通信機器へ出力するとともに、被試験通信機器から受信した信号（搬送波帯の高周波）を低周波信号に変換して出力する機能を有する。
【００４１】
処理ユニットは、伝送したい所望のデータを通信方式に応じて生成して変調用信号としてＲＦユニットへ送るとともに、ＲＦユニットから受けた低周波信号を通信方式に応じて復調・解析する機能を有する。解析の結果から試験の結果が作成される。
【００４２】
通信ＲＦインタフェース信号ユニットＡ２１ａ及びユニットＢ２１ｂは、必ずしも通信方式毎に区別されているわけではない。複数の通信方式でも１つのユニットで共用できる場合がある。変調方式や復調方式に関与するデータ処理ユニットＸ２１ｃ及びユニットＹ２１ｄは通信方式毎に存在する。したがって、ＲＦユニットと処理ユニットの２種類の機能のユニットのうち、少なくともＲＦユニットが１つに対して処理ユニットが２つが実装されていることが、多様な測定を行ううえで望ましい。
【００４３】
経路切替手段２２は、測定制御手段３０からの制御信号によって、ユニット格納部２１に実装された１又は複数実装されたＲＦユニットと、やはり実装された１又は複数の処理ユニットとの接続を切り替えて、試験しようとする試験項目に対応して組み合わせて接続する。
【００４４】
実装ユニット管理部２３は、実際に実装された各ＲＦユニット及び処理ユニット（以下、区別して説明する必要がない場合は、「ユニット」と言う。）から識別情報を受ける（或いは識別情報を検索する。）とともに、実装位置（格納位置）を検知して、識別情報及び実装位置を管理して、後記する試験項目決定手段４０へ通知する。
【００４５】
次に、図１を基に、ソフトウェアリソースについて説明する。図１において、ソフトウェアリソースとしては、通信情報記憶部３３ｂに記憶されている内容である。つまり、シナリオ記憶部３３ｂ１に記憶される、通信方式、サービス又はそれらの組合せに応じた手順でユニットを制御するためのシナリオ、及び通信条件記憶部３３ｂ２に記憶される、周波数、レベル等のユニットに設定するための通信条件（パラメータ）がある。また、経路切替手段２２を制御するための経路情報、つまり、試験項目に応じて複数のユニットを切り替えてユニット間の信号経路を形成させるための経路情報を経路記憶部３２に記憶している。この経路情報は、ユニットつまり、ハードウェアリソースに付随したものであるが、ソフトウェアリソースとして管理してもよい。図１、図２では、シナリオ記憶部３３ｂ１のシナリオ及び通信条件記憶部３３ｂ２の通信条件を一組で一つのアプリケーションとして、実装情報管理部３３ａによって管理されている。なお、シナリオ、通信条件等の各情報は、個別の記憶素子ではなく、一つの記憶素子に識別して選択可能に記憶されていてもよい。
【００４６】
上記アプリケーションは、通信方式、サービス及び試験項目によって異なり、通信試験装置としては、複数のアプリケーションが実装可能にされている。実装の仕方としては、外部メモリ（フロッピー（登録商標）ディスク、光ディスク等）の装着、或いはネットワークによるダウンロード等がある。また、いずれのアプリケーションにおいても、シナリオ及び通信条件は、試験項目毎に読み出し可能に記憶され、かつ実装情報管理部３３ａによって識別されて管理される。実装情報管理部３３ａは、実装された各アプリケーションを確認し、そのアプリケーションの識別情報を後記する試験項目決定手段４０へ送る。
【００４７】
上記アプリケーションは、外部から実装可能、または差し替え可能にされているが、多様性をどこまで持たせるかその範囲、或いはシナリオ及び通信条件等を記憶させるメモリ容量の大きさの関係からして、シナリオ記憶部３３ｂもしくは通信条件記憶部３３ｂ２又はそれらの双方を固定の記憶手段としても良い。
【００４８】
試験項目記憶手段５０は、ユニット管理手段２０及び情報管理手段３３が試験の実施が想定される範囲において（つまり、通信試験装置として市場に提供されるときに実施を想定された試験項目の範囲において）、各通信項目とその実行に必要なユニットの識別情報及びアプリケーションの各情報（シナリオ、通信条件を区別して説明する必要がない場合は、纏めて「アプリケーション情報」と言う。）を対応付けて、参照可能なデータベースとして記憶する。
【００４９】
その例として図３のリソースデータベースを示す。図３に記載の試験方法の欄の「試験方法」は、狭義の試験項目であって、図３は、この試験方法に対応する形で作成されており、その他、通信方式、サービス、ソフトウェアリソース（アプリケーション、シナリオ、通信条件、経路情報）、ハードウェアリソース（内部のユニット、外部接続として、ＴＶ電話等とその接続図を特定する情報）が識別可能に名称（或いは形名）等で対応付けて表記されている（図３は、そのフォーマットである。）。なお、図３の外部接続の欄は、試験項目によっては、被試験通信機器の通信の相手方となる外部機器が必要となるため、その有無をユーザに知らせるためのものである。接続図の欄は、試験するための接続をどのようにしたらよいかを案内するための図を別途用意しておき（図８を参照）、その図を読み出せるように特定するための図番等を記入しておく欄である。なお、図３には、経路情報が入っているが、経路記憶手段３２の経路情報に代わって、或いはそのコピーを図３に（つまり試験項目記憶手段５０に）記憶させてもよい。以下では、経路情報は、経路記憶手段３２だけに記憶されているとして説明する。
【００５０】
試験項目決定手段４０は、測定開始の時点で、実装ユニット管理部２３及び実装情報管理部３３ａから、それぞれユニット格納部２１に実装されているユニット、通信情報記憶部３３ｂに実装（記憶）されているアプリケーションの各識別情報を受けて、試験項目記憶手段５０に記憶されているリソースデータベースを参照、照合し、少なくとも実装されたユニットの識別情報とアプリケーション情報（シナリオ、通信条件）が揃った試験項目を検出して、実施可能試験項目と決定し、それ以外を実施不可試験項目とする。さらに、試験項目決定手段４０は、実施不可試験項目の中で、実施可能にするためには、ユニット、アプリケーションの内、何の名称のリソースが不足しているかをリソースデータベースから拾い出す。
【００５１】
試験項目決定手段４０は、決定した実施可能試験項目、実施不可試験項目及びその不足リソースをユーザインタフェース手段１０へ送付する。また、実施可能試験項目についてリソースデータベースの接続図に該当する図番があればそれも一緒にユーザインタフェース手段１０へ送付する。
【００５２】
ユーザインタフェース手段１０は、操作部１１，表示部１２及びインタフェース制御手段１３からなり、いわゆるＧＵＩとして構成されている。インタフェース制御手段１３は、表示する各種の表示フォーマット或いは表示する画面情報（画像データ）を各種表示フォーマット記憶手段１３ａに記憶している。又、インタフェース制御手段１３は、表示した画面情報にユーザが操作部１１でアクセスした箇所を示すマーカの生成・移動、マーカを設定した位置で操作部１１の決定キーを押すことによりその位置の情報が選択し又は決定する等の動作を行うために、各キーと表示との連携動作を管理、制御する。
【００５３】
ユーザインタフェース手段１０は、試験項目決定手段４０が決定した実施可能試験項目、実施不可試験項目及びその不足リソースを受けたときは、図４に示すような試験項目選択画面を表示フォーマットから生成（図４の中の通信方式、サービス、試験方法については、予め試験項目記憶手段５０と同じ内容、つまりリソースデータベースと同様なものを備えているか、それを利用する。）する。ただし、この段階で、図４の選択項目の■、実行可否欄の●は付されていない。この時点で、実施可能試験項目については、図４の実施可否の欄に○を付すとともに該当する箇所の文字色を濃くする等を行う。一方、実施不可試験項目については、実施可否欄にー印を付し該当する箇所の文字色を薄くする等を行って実施可否の識別が容易になるようにして表示部１２へ表示している。さらに、ユーザインタフェース手段１０は、実施不可試験項目について、不足リソースの名称等をリソース欄に表示する。
なお、実施可否欄、識別のための色の濃淡表示等は、いずれか一方でもよいし、色分け表示、記号の付加等、各種のものが使用できる。
【００５４】
また、ユーザインタフェース手段１０は、図４（選択項目の■、実行可否欄の●は付されていない。）を表示した後、その表示を見てユーザが実施可能項目の中から操作部１１の操作により、実施したい実施可能試験項目、例えば、図４の２段目の項目を選定されたしたときは、選択欄に■、実行可否欄に●を付して視認できるように表示する（色を変えるなど、他の表現でも選択されたことが視認できればよい。）。さらに、ユーザインタフェース手段１０は、ユーザによって選定された実施可能試験項目を試験項目決定手段４０を通して（或いは直接）、試験制御手段３１へ通知し、その実施可能試験項目を実施させる。
【００５５】
また、ユーザインタフェース手段１０は、ユーザが実施可能項目の中から操作部１１を操作することにより、実施希望の試験項目を複数、例えば、図５の上から２段目の項目、１４段目の項目、及び８段目の項目の順に選定したときは、選択欄に■を付すとともに、順番を記入して表示部１２に表示する。そして、さらにユーザに選定された試験項目及びその順番を試験項目決定手段４０を通して（或いは直接）、試験制御手段３１へ通知し、その順番で試験項目を実施させる。
【００５６】
上記は、複数の実施可能試験項目についてシリアルに試験を行う場合であるが、同時に試験、例えば、１つ又は２つの被試験通信機器に対して、２つの試験を同時に行いたい場合がある。このような同時試験を行う場合は、表示部１２に表示されている実施可能試験項目からユーザが操作手段１１によって、先ず１つの所望の実施可能試験項目を選択したとき、ユーザインタフェース制御手段１３がその１つの所望の実施可能試験項目を試験項目決定手段４０に通知する。その通知を受けた試験項目決定手段４０が、再び、試験項目記憶手段５０のリソースデータベースを参照して、上記１つの所望の実施可能試験項目の試験と同時に運用可能な（重複しない又は多重使用可能な）リソースを検索して同時試験可能な他の実施可能試験項目を決定し、それをユーザインタフェース手段１３を介して、ユーザが識別して選択可能に、試験項目一覧を更新して表示部１２に表示させる。そしてユーザが操作手段１１によって所望の２つの実施可能試験項目を選択した場合は、試験制御手段３４ａがその所望の２つの実施可能試験項目を実施するための制御を該当するユニットに対して行う（上記した、１つの実施可能試験項目について試験を行うときの制御と同じ）。なお、２つの被試験通信機器に対して１種類の同一の試験項目で同時試験することも（この場合は、上記２つの所望の実施可能試験項目は、１つのものを２回選んだものになる。）、内容によっては、１つの被試験通信機器に対して２種類の試験項目で同時試験することも可能である。
【００５７】
その状態として、１つの試験項目において複数のリソースを順次使用する場合がある。この場合、１つの試験項目の試験期間中に全てのリソースが常に占有されているわけではなく、試験に必要なリソースは順次切り替えられて使用されている。しかしながら、上記実施例では、２つの試験で共通のリソースがあるとき、片側の試験が選択できない。これを解決するために、試験項目決定手段４０は、試験項目記憶手段５０に記憶されたリソースデータベース及び測定制御手段３０で制御される動作手順（シナリオ等で定義）を参照して時間的にリソースの重複が発生しないと判断される試験項目は、同時試験可能な試験項目と決定し、それをユーザインタフェース手段１３を介して、ユーザが識別可能に、試験項目を更新して表示部１２に表示させることもできる。
【００５８】
また、ユーザインタフェース手段１０は、選択した試験項目に該当する接続図の図番があれば、その図番に該当する図面を表示部１２に表示する。その表示例を、図８に示す。図８の左側は、例えば、試験実行のためには、被試験端末通信機器（ＵＥ）を通信試験装置の正面の「ＲＦ＃２」端子と「ＲＦＭｕｘ」端子の双方にサーキュレータを介して接続すること、及び「Ｈａｎｄｓｅｔ」端子に、いわゆるハンドセット（送受話機）を接続するすべきであることを示している。図８の右側は、通信試験装置の背面の「Ａ」端子にＰａｃｋｅｔ（この場合パケット試験のためのＰＣ）を接続し、「ＩＳＤＮ」端子には、ＩＳＤＮ用通信機器を接続すべきであることを明示している。この図８において接続が必要とされる機器は、ハンドセット、パケット、ＩＳＤＮのサービスにおける各試験において、被試験通信端末が擬似基地局としての本通信試験装置を通して、実際に通信する相手方となる端末である。
【００５９】
試験制御手段３１は、次のような動作を行う。
（１）試験項目決定手段４０が、実装されたユニットやアプリケーション情報等のリソースと試験項目記憶手段５０のリソースデータベースとを比較参照して決定した実施可能試験項目を受けて、上記のように経路切替手段２２を制御するために、実施可能試験項目に応じて複数のユニットを切り替えてユニット間の信号経路を形成させるための経路情報を作成し、経路記憶部３２に記憶させる。既に、経路記憶部３２に経路情報記憶されている場合は、確認の判定を行う。
（２）試験項目決定手段４０を介して得られたユーザが選定した実施希望の試験項目、その試験項目に対応するユニットの位置情報とを受けて、実施希望の試験項目に対応する、アプリケーション情報を通信情報記憶部３３ｂから読み出し、かつ該当する経路情報を経路記憶部３２から読み出して、前記位置情報にあるユニットに対して、当該経路情報で経路切替手段２２を制御してユニットの組合せを設定し、当該位置情報に基づいて当該ユニットに当該通信条件を設定し、かつ当該シナリオの通りに制御して試験を行わせる。
【００６０】
そのとき、通信条件の中の周波数やレベルの値は、主に、通信ＲＦ信号ユニットＡ２１ａ，ユニットＢ２１ｂへ設定され、シナリオ等によって制御されるのはデータ処理ユニットＸ２１ｃ、ユニットＹ２１ｄである。アプリケーションのうち、通信条件として周波数、レベルをユニットに自動セットアップした画面の例を図７に示す。ユーザはＯＫであれば、ＯＫキーを設定すれば良いし、操作部１１で変更、入力することもできる。
【００６１】
なお、試験制御手段３１は、通信情報記憶部３３ｂにユニットの機能等を変更するソフトウェアを試験項目に応じて記憶しておき、ユニットにそのソフトウェアを組込んで所望の試験項目を実施させることもできる（例えば、特許第３０１８９５５号公報）。
【００６２】
上記、図１における実装情報管理部３３ａ、情報管理手段３３及び試験制御手段３１は、測定制御手段３０を構成しているが、測定制御手段３０については、図２に示す構成であってもよい。図２は、試験制御手段３１と同じ機能を果たす試験制御手段３４ａが、情報管理手段３４の中に含まれ、アプリケーションとともに、制御管理部３５ａに管理されている。制御管理部３５ａは、図１における実装情報管理部３３ａと同じ機能を果たす。
【００６３】
上記構成の中で、インタフェース制御手段１３、試験項目決定手段４０，試験制御手段３１、実装ユニット管理部２３及び実装情報管理手段３３ａは、ＣＰＵ及びそれを上記の機能させるためのプログラムを記憶するＲＯＭ、RAM等で構成できる。
【００６４】
次に一連の動作を図６に示す動作フローに基づいて説明する。
ステップＳ０：先ず、予め、図３におけるリソースデータベースが記憶されているものとする。記憶されていなければ、作成しておく。
ステップＳ１：パワースイッチをオンにして通信試験装置を立ち上げる。
【００６５】
ステップＳ２：ユニット管理手段２３が実装されているユニットを認識し、識別情報と位置情報を取得し、試験項目決定手段４０へ送る
【００６６】
ステップＳ３：ユーザインタフェース手段１０は、図９のアプリケーョン選択画面を表示し、ユーザに選択させる。ベテランの熟練した人であれば、自分で選択して実行できるが、深い知識のない人のために自動でアプリケーションを設定できる自動セットアップユーティリティを選択できるようにしてある。
【００６７】
ステップＳ４：図９（Ｂ）の画面で自動セットアップユーティリティを選択する。（以降、この発明に係わるルーチンに入る。図９（Ｂ）でＡｐｐｌｉ１〜４を選択した場合は、従来の方法と同じ、ユーザによる設定となる。）
【００６８】
ステップＳ５：実装情報管理手段３３ａが通信情報記憶部３３ｂに実装されているアプリケーション（シナリオ、通信条件）を確認し、確認したアプリケーションの識別情報を試験項目決定手段４０へ送付する。
【００６９】
ステップＳ６：試験項目決定手段４０は、取得したユニットの識別情報及びアプリケーションの識別情報を試験項目記憶手段５０に記憶されているリソースデータベースと照合し、リソースが揃った試験項目を実施可能試験項目としそれ以外を実施不可試験項目とする。さらに、実施不可項目の不足リソースをリソースデータベースから検索して、それらをユーザインタフェース手段１０へ送付する。一方で、試験項目決定手段４０が、試験項目記憶手段５０から実施可能試験項目を受けて、上記のように経路情報を作成し、経路記憶部３２に記憶させる。既に、経路記憶部３２に経路情報記憶されている場合は、確認の判定を行う。
【００７０】
ステップＳ７：ユーザインタフェース手段１０は、実施可能試験項目を識別可能に表示する（図５の○）とともに、実施不可とされた試験項目も表示し（つまり全て、つまり試験の実施が想定される範囲において全てを一覧表示し）、実施不可の試験項目については不足リソースを表示する。
【００７１】
ステップＳ８：ユーザが実施可試験項目から所望の実施試験項目を操作部１１で選定。ユーザインタフェース手段１０は、選定した試験項目を識別可能にし、さらに複数選定されていれば、選定順に順番を付して表示（図５の■、番号、●）する。ただし、例えば、２つの試験を同時に行う場合は、ユーザによって１つの所望の実施可能試験項目が選択されたことを契機として、図６の一点鎖線のように、ステップＳ６，ステップＳ７で、再び、その１つの所望の実施可能試験項目と同時に試験可能な他の実施可能試験項目を決定し、識別可能に表示する。そして、ステップＳ８でユーザによって表示された中から、所望の他の実施可能試験項目を選択される。この選択後にステップＳ９へ進む。なお、同時試験の場合は、それをユーザが操作部１１を操作して設定することにより同時試験の指示が出され、上記動作が行われる。同時試験の指示が出された場合は、上記順番は付されない。
【００７２】
ステップＳ９：ユーザインタフェース手段１０は、選定された試験項目についてのアプリケーション、ユニットをユーザ確認のため表示、併せてリソースデータベースを参照してその選定された試験項目について外部の接続機器がある場合は、その接続図を図８のように表示する。アプリケーションのうち、通信条件として周波数、レベルを自動セットアップされた画面の例を図７に示す。ユーザはＯＫであれば、ＯＫキーを設定すれば良いし、操作部１１で変更、入力することもできる。
【００７３】
ステップＳ１０：ユーザが確認して決定キーを操作。
【００７４】
ステップＳ１１、１２：試験制御手段３１は、ユーザが選定した所望の実施可能試験項目を基に、選択された実施可能試験項目に対応する、シナリオ及び通信条件を通信情報記憶部３３ｂから読み出し、経路情報を経路記憶部３２から読み出して、その経路情報で経路切替手段２２を制御して該当するユニットの組合せを設定し、該当するユニットの位置情報に基づいてそのユニットに通信条件を設定し、かつシナリオの通りに制御して試験を行わせる。
【００７５】
ステップＳ１３，１４：ユーザが自身でアプリケーション設定して、試験環境を構築して試験する場合である。
【図面の簡単な説明】
【００７６】
【図１】本発明の実施形態の構成を示す機能ブロック図である。
【図２】図１の構成における測定制御手段３０の変形例を含む機能ブロック図である。
【図３】被試験通信機器と通信行うインタフェースユニットを含むハードウェアリソース、及びそのユニット等を制御するためのソフトウェアリソースを試験項目毎に対応してリストアップしたデータベースを説明する図である。
【図４】試験項目選択画面の例を示す図である。
【図５】試験項目選択画面の例を示す図である。
【図６】図１の実施形態における動作のフローを説明するための図である。
【図７】通信条件セットアップ画面を示す図である。
【図８】外部機器との接続表示画面の例を示す図である。
【図９】アプリケーションセットアップ選択画面の例を示す図である。
【符号の説明】
【００７７】
１０  ユーザインタフェース手段
２０  ユニット管理手段
２２  経路切替手段
３０  測定制御手段
３１  試験制御手段
３３  情報管理手段
【図１】
2005341424.tif 000003
【図２】
2005341424.tif 000004
【図３】
2005341424.tif 000005
【図４】
2005341424.tif 000006
【図５】
2005341424.tif 000007
【図６】
2005341424.tif 000008
【図７】
2005341424.tif 000009
【図８】
2005341424.tif 000010
【図９】
2005341424.tif 000011